(57)【要約】本発明は、通信回線の接続が確立する前に通信先ごとの通信品質を検知可能にし、通信回線の接続が確立した後、通信品質の良好な通信を実施できる情報端末装置を提供することを目的とする。  本発明の情報端末装置は、通信先識別子が示す通信先に対し、通信回線を介して通信を行う通信手段２と、通信先識別子と、前記通信先識別子が示す通信先の通信品質情報と、を対応付けて保持する通信先識別子・通信品質情報保持手段３と、前記通信先識別子・通信品質情報保持手段から前記通信先識別子に対応する通信品質情報を検索して取得する通信先識別子・通信品質情報管理手段５と、少なくとも前記通信手段による通信を行う前に、前記通信先識別子・通信品質情報管理手段により取得した通信品質情報を、前記通信先識別子に対応させて通知する通信先識別子提示手段４と、を備えるものである。【特許請求の範囲】
【請求項１】
通信先識別子が示す通信先に対し、通信回線を介して通信を行う通信手段と、
通信先識別子と、前記通信先識別子が示す通信先の通信品質情報と、を対応付けて保持する通信先識別子・通信品質情報保持手段と、
前記通信先識別子・通信品質情報保持手段から前記通信先識別子に対応する通信品質情報を検索して取得する通信先識別子・通信品質情報管理手段と、
少なくとも前記通信手段による通信を行う前に、前記通信先識別子・通信品質情報管理手段により取得した通信品質情報を、前記通信先識別子に対応させて通知する通信先識別子提示手段と、
を備えることを特徴とする情報端末装置。
【請求項２】
請求項１に記載の情報端末装置であって、
前記通信先識別子・通信品質情報管理手段は、前記通信手段による通信先識別子が示す通信先への通信により得られた通信品質情報を、当該通信先識別子に対応付けて登録する、
ことを特徴とする情報端末装置。
【請求項３】
請求項２に記載の情報端末装置であって，
前記通信手段による通信先識別子が示す通信先への通信により得られた、少なくとも伝送速度情報、ジッタ情報、パケットロス率情報または応答時間に基づいて、通信品質情報を算出する通信品質算出手段を備え、
前記通信先識別子・通信品質情報管理手段は、前記通信品質算出手段により算出した通信品質情報を、前記通信先識別子に対応付けて登録する、
ことを特徴とする情報端末装置。
【請求項４】
請求項１または３に記載の情報端末装置であって、
前記通信先識別子は、少なくとも、ＵＲＬ、ＵＲＩ、ＩＰアドレスまたは電話番号の一部を含む情報端末装置。
【請求項５】
請求項１から４のいずれか１項に記載の情報端末装置であって、
前記通信先識別子提示手段は、少なくとも、液晶ディスプレイ、ＣＲＴディスプレイ、ＥＬディスプレイ、ＬＥＤ、音声出力またはバイブレーションにより、前記通信品質情報を通知することを特徴とする情報端末装置。
【発明の詳細な説明】
【技術分野】
【０００１】  本発明は、ユーザが通信回線に接続された通信先から通信品質の良い通信先を選択して、情報の通信を行えるようにする情報端末装置に関する。
【背景技術】
【０００２】  インタネットへのアクセス等を円滑に行うためのインタネット用ブラウザが種々提供されている。このインタネット用ブラウザにおける代表的な機能の１つにブックマーク登録機能がある。【０００３】  ブックマーク登録は、ユーザに興味のあるホームページや繰り返し参照したホームページ等について、そのＵＲＬ（Ｕｎｉｆｏｒｍ  Ｒｅｓｏｕｒｃｅ  Ｌｏｃａｔｉｏｎ；ホームページのアドレス）を、ブックマークファイル内にブックマークエントリ（アドレスリスト）として登録しておき、該ホームページの参照を簡単に行えるようにするものである。【０００４】  また、ブックマークファイル内のブックマークエントリとして、アドレスの他に、参照日時および参照回数の情報を記録して、ブックマークファイル内のブックマークエントリの参照時間順または参照頻度順による並び替えを可能とし、エントリー数に関係なく目的とするホームページを簡単に指定し得るものが、提案されている（例えば、特許文献１参照）。
【特許文献１】特開平１０−３３４１２０号公報
【発明の開示】
【発明が解決しようとする課題】
【０００５】  一方、情報端末装置と複数の通信先との間で通信を行う場合に、通信品質の良好な状態で通信を行うことが、当然望まれる。前記通信品質には、通信における応答時間、パケットロス率、ジッタ、伝送速度の通信品質などがあり、これらの通信品質は通信先（サーバ等）の負荷や情報端末から通信先までの通信経路などにより異なる。このため、通信を開始するに当たって、複数の通信先の中から通信品質の良い通信先を選んで通信を行うことが望ましい。【０００６】  しかしながら、従来の情報端末装置は、通信回線の接続を確立する前に通信品質を検知することができず、一旦通信回線の接続を確立してみないと通信品質を検知できないという不都合があった。【０００７】  本発明は、上記事情に鑑みてなされたものであり、通信回線の接続が確立する前に通信先ごとの通信品質を検知可能にして、ユーザが選択した通信品質の良好な通信先との間で効率的に情報の通信を行うことができる情報端末装置を提供することを目的とする。
【課題を解決するための手段】
【０００８】  本発明の情報端末装置は、通信先識別子が示す通信先に対し、通信回線を介して通信を行う通信手段と、通信先識別子と、前記通信先識別子が示す通信先の通信品質情報と、を対応付けて保持する通信先識別子・通信品質情報保持手段と、前記通信先識別子・通信品質情報保持手段から前記通信先識別子に対応する通信品質情報を検索して取得する通信先識別子・通信品質情報管理手段と、少なくとも前記通信手段による通信を行う前に、前記通信先識別子・通信品質情報管理手段により取得した通信品質情報を、前記通信先識別子に対応させて通知する通信先識別子提示手段と、を備えるものである。【０００９】  また、本発明の情報端末装置は、前記通信先識別子・通信品質情報管理手段が、前記通信手段による通信先識別子が示す通信先への通信により得られた通信品質情報を、当該通信先識別子に対応付けて登録する、ものを含むものである。【００１０】  また、本発明の情報端末装置は、前記通信先識別子が、少なくとも、ＵＲＬ、ＵＲＩ、ＩＰアドレスまたは電話番号の一部を含むものである。【００１１】  また、本発明の情報端末装置は、前記通信先識別子提示手段が、少なくとも、液晶ディスプレイ、ＣＲＴディスプレイ、ＥＬディスプレイ、ＬＥＤ、音声出力またはバイブレーションにより、前記通信品質情報を通知するものを含む。【００１２】  予め通信先との間の通信品質情報を算出して通信先識別子・通信品質情報保持手段に格納しておくことで、情報端末装置側からユーザが通信先を指定して情報（リクエストメッセージ）を送信する前に、通信先識別子・通信品質情報保持手段に格納されている当該通信先（識別子）対応の通信品質を参照でき、これにより、ユーザは通信品質の良好な通信先を選択できる。このため、ユーザは通信品質の良い通信先から通信回線を通じて情報を取得または送信することができる。【００１３】  また、本発明の情報通信端末は、前記通信手段による通信先識別子が示す通信先への通信により得られた、少なくとも伝送速度情報、ジッタ情報、パケットロス率情報または応答時間に基づいて、通信品質情報を算出する通信品質算出手段を備え、前記通信先識別子・通信品質情報管理手段が、前記通信品質算出手段により算出した通信品質情報を、前記通信先識別子と対応付けて登録する、ものを含む。【００１４】  これにより、通信品質算出手段により算出して得た通信品質情報のうち、通信品質の高い通信回線に接続された通信先をユーザが容易に確認でき、この通信先を選んで情報を取得または送信することができる。
【発明の効果】
【００１５】  本発明は、予め通信先識別子およびこの通信先識別子に対応する通信品質情報を互いに関連付けて通信先識別子・通信品質情報保持手段に登録しておき、通信を行う前に、通信先識別子提示手段から通知された通信先識別子に対応する通信品質情報を前記通信先識別子・通信品質情報保持手段から検索して、前記通信先識別子提示手段に渡すことにより、渡された通信品質情報をユーザに速やかに提示することができ、ユーザはこの提示内容を参照することにより、通信品質の良い通信先を指定して情報を取得または送信することができるものである。
【図面の簡単な説明】
【００１６】
【図１】本発明の第１の実施形態における情報端末装置のブロック図
【図２】本発明の第１の実施形態による通信品質情報の登録手順を示すシーケンス図
【図３】本発明の第１の実施形態による通信品質情報の登録手順を示すシーケンス図（図２の続きのシーケンス）
【図４】本発明の第１の実施形態による通信品質情報の提示手順を示すシーケンス図
【図５】本発明による通信品質情報の提示状況を示す説明図。図５（ａ）は「通信品質が良い」場合の提示状況、図５（ｂ）は「通信品質が悪い」場合の提示状況、図５（ｃ）は「通信品質情報がない」場合の提示状況。
【図６】本発明の情報端末がＩＰ電話機である場合の、通信品質情報等の提示状態を示す説明図。図６（ａ）は「通信品質が良い」場合の提示状態、図６（ｂ）は「通信品質が悪い」場合の提示状態。
【図７】図５に示す提示情報のデータテーブル図
【図８】本発明の第２の実施形態における情報端末装置のブロック図
【図９】本発明の第２の実施形態による通信品質情報の登録手順を示すシーケンス図
【図１０】本発明の第２の実施形態による通信品質情報の登録手順を示すシーケンス図
【図１１】本発明の第２の実施形態による通信品質情報の提示手順を示すシーケンス図（図１０の続きのシーケンス）
【図１２】本発明の第２の実施形態における提示情報のデータテーブル図
【図１３】本発明の第２の実施形態における通信品質情報の提示例を示す説明図
【符号の説明】
【００１７】  １  情報端末装置
２  通信手段
３  通信先識別子・通信品質情報保持手段
４  通信先識別子提示手段
５  通信先識別子・通信品質情報管理手段
７  通信部
【発明を実施するための最良の形態】
【００１８】  以下、本発明の実施形態の情報端末装置について、図面を参照して詳細に説明する。【００１９】  （第１の実施形態）
本発明の第１の実施形態による情報端末装置を、図１に示す。
図１において、情報端末装置１は、通信手段２と、通信先識別子・通信品質情報保持手段３と、通信先識別子提示手段４と、通信先識別子・通信品質情報管理手段５と、動画再生手段６とを有する構成である。【００２０】  通信手段２は、通信先識別子が示す通信先に対し、通信回線を介して通信を行うように機能する。この通信手段２は、メディアデータの伝送を行うＲＴＰプロトコルスタック、クライアント（情報端末装置）とサーバ（通信先）間でセッションの確立や動画の再生・停止を通知するメッセージのやりとりを行うＲＴＳＰプロトコルスタック、パケットロス率やジッタ等の通信状況を伝えるＲＴＣＰプロトコルスタックのもとで、情報のやりとりを行う。【００２１】  また、ＴＣＰ／ＩＰプロトコルまたはＵＤＰ／ＩＰプロトコルを、インタネットで利用する通信プロトコルとして用いる。さらに、通信手段２は、アンテナを通じて通信先と情報の送受信を行う通信部７を有する。【００２２】  通信先識別子・通信品質情報保持手段３は、通信回線を介して通信手段２に得られた通信先識別子およびこの通信先識別子に対応する通信品質情報を関連付けて登録するように機能する。【００２３】  また、通信先識別子提示手段４は、通信回線の接続を行う前にコンテンツリストからユーザが選択した通信先識別子をユーザに通知するように機能するほか、ユーザにより選択された通信先識別子を通信手段２および通信先識別子・通信品質情報管理手段５へ通知するように機能する。さらに、この通信先識別子提示手段４は、通信先情報に対応する通信品質情報を、表示画面上等でユーザにフォントやマークで提示したり、音声などで提示したりするように機能する。なお、通信手段による通信を行うとき、または、通信回線の接続を行うときとは、例えば、ユーザが選択した通信先識別子が示すサーバに対してリクエストメッセージ（例えば、ユーザ側の端末が使用できる機能（再生／停止等）をサーバ側に通知するメッセージ）を送信するときをいう。【００２４】  通信先識別子・通信品質情報管理手段５は、通信先から通信手段２を介して渡された通信識別子および通信品質情報を通信先識別子・通信品質情報保持手段３に登録するように機能するほか、通信先識別子提示手段４から通知された通信先識別子に対応する通信品質情報を前記通信先識別子・通信品質情報保持手段３から検索して取得し、再び前記通信先識別子提示手段４に通知するように機能する。【００２５】  なお、通信先識別子・通信品質情報管理手段５は、通信手段２から得た電送速度情報、パケットロス率情報および応答時間情報にもとづいて通信品質情報を算出する通信品質算出手段（図示しない）を有し、通信先識別子とともに、その算出した通信品質情報を通信先識別子・通信品質情報保持手段３に登録可能にする。動画再生手段６は、通信手段２から動画の映像および音声メディアデータを取得し、再生するように機能する。【００２６】  前記通信先は、例えば、基地局交換機を介して接続されたサーバであり、その通信先の識別子には、ＵＲＬ、ＵＲＩ（Ｕｎｉｆｏｒｍ  Ｒｅｓｏｕｒｃｅ  Ｉｄｅｎｔｆｉｅｒ）、ＩＰ（Ｉｎｔｅｒｎｅｔ  Ｐｒｏｔｏｃｏｌ）アドレス、電話番号などがある。【００２７】  前記通��品質には、通信状況を伝えるＲＴＣＰパケット内のパケットロス率やジッタ、ＲＴＰパケットの受信開始時刻、受信終了時刻、ＲＴＰデータ長の合計から算出される伝送速度（ＲＴＰデータ長はソケットからのデータ読み時に取得可）、応答時間、誤り率、電界強度がある。【００２８】  通信先識別子提示手段４による通信品質のレベルの提示方法としては、フォントの大きさや色、ブリンク間隔、マーク、アニメーション、エントリーの順序を変えて液晶ディスプレイで表示する方法や、明るさの強弱、色、グラデーション、点滅間隔を変えて発光ダイオードを点灯する方法などがある。また、音声出力やバイブレーションなどの提示方法もある。【００２９】  また、本発明による通信識別子対応の通信品質情報の登録および通信品質の良い通信先を選択するための処理は、ストリーミングアプリケーション（プレイリスト）、ブラウザ（リンク、ブックマーク）、ＩＰ電話（電話帳）を利用して実行される。【００３０】  以上のように構成された情報処理装置１につき、図２、図３および図４を用いてその動作を説明する。図２、３は、通信品質情報を登録する手順を示すシーケンス図であり、図４は、通信品質情報の良好な通信先を提示して選択できるようにする手順を示すシーケンス図である。なお図２および図３は便宜上一つのシーケンス図を分けて示す図であり、図２中のＡ、Ｂ、Ｃ、Ｄ、Ｅ、Ｆ、およびＧはそれぞれ、図３中のＡ、Ｂ、Ｃ、Ｄ、Ｅ、Ｆ、およびＧのそれぞれと接続されている。図９および図１０も同様である。【００３１】  まず、通信品質情報を登録する手順を、図２、３を参照しながら説明する。
ユーザは通信先識別子提示手段４により表示されるコンテンツ（ＵＲＬなどを含む）を決定する（Ｓ１０１）。すると、通信先識別子提示手段４は通信手段２に対して通信開始要求（通信先識別子を含む）を行う（Ｓ１０２）。通信手段２はサーバである通信先と各種情報のやりとり（リクエスト−レスポンス）を行い、リクエストメッセージを送信してからレスポンスメッセージがくるまでの時間（応答時間）を、ＲＴＳＰプロトコルスタックのもとで測定（算出）する（Ｓ１０３）。なお、Ｓ１０３において、ＯＰＴＩＯＮＳメッセージは例えばユーザの端末が使用可能な機能（再生または停止など）をサーバ側に通知するメッセージであり、ＤＥＳＣＲＩＢＥメッセージは例えばコンテンツの情報を送信するようにサーバ側に要求するメッセージである。また、ＳＥＴＵＰメッセージは例えばクライアントが使用できる伝送方法を通知するメッセージであり、ＰＬＡＹメッセージは例えば再生を行う（データを送信する）ようにサーバ側に要求するメッセージである。【００３２】  また、ＲＴＰプロトコルスタックのもとで、通信先からＲＴＰパケットを受けて（Ｓ１０４）、メディアデータを動画再生手段６へ入力し（Ｓ１０５）、動画再生手段６では動画再生を行う。さらに、ＲＴＣＰプロトコルスタックのもとで、通信先からＲＴＣＰパケットを受け取って、パケットロス率およびジッタの情報を読み込む（Ｓ１０６）。なお、上記Ｓ１０４、Ｓ１０５およびＳ１０６の工程は、パケットごとに繰り返し行われる。【００３３】  この結果、通信先識別子・通信品質情報管理手段５に対して、ＲＴＳＰプロトコルスタックのもとで、応答時間情報および通信先識別子の通知がなされ（Ｓ１０７）、ＲＴＰプロトコルスタックのもとで伝送速度の算出とこの伝送速度情報の通知がなされ（Ｓ１０８）、ＲＴＣＰプロトコルスタックのもとでパケットロス率情報通知がなされる（Ｓ１０９）。【００３４】  そこで通信先識別子・通信品質情報管理手段５は、通信品質の算出処理を行い（Ｓ１１０）、通信先識別子に対し算出して得られた通信品質情報を関連付けて、通信先識別子・通信品質情報保持手段３に登録する（Ｓ１１１）。【００３５】  なお、通信品質は、例えば、通信品質情報＝（伝送速度に関する通信品質×４０（％））＋（パケットロス率に関する通信品質×４０（％））＋（応答時間に関する通信品質×２０（％））の算出式により求めることができる。【００３６】  ここで、
伝送速度に関する通信品質＝伝送速度実測値／伝送速度スペック
パケットロス率に関する通信品質＝１−パケットロス率
応答時間に関する通信品質＝「（応答時間（ｍｓｅｃ））＜５００の場合」→１
「５００＝＜（応答時間（ｍｓｅｃ））＜２５００の場合」→０
「上述の応答時間（ｍｓｅｃ）以外の場合」→
（応答時間（ｍｓｅｃ）−５００）／２０００
としている。【００３７】  次に、通信品質情報の提示手順を、図４に示すシーケンス図を参照して説明する。
まず、ユーザは、コンテンツリスト（例えばＵＲＬリスト）にフォーカスを当て（例えばマウスポインタを所定のＵＲＬリストの上に置き）、ＵＲＬリストの中から通信先識別子を選択する（Ｓ２０１）。これにより、通信先識別子提示手段４は通信先識別子・通信品質情報管理手段５に前記選択された通信先識別子を通知し（Ｓ２０２）、この通知を受けて、通信先識別子・通信品質情報管理手段５は通信先識別子・通信品質情報保持手段３から通信先識別子を検索する（Ｓ２０３）。【００３８】  この検索により、通信先識別子・通信品質情報保持手段３からは通信先対応の通信品質情報が取得され（Ｓ２０４）、この通信品質情報が通信先識別子・通信品質情報管理手段５から通信先識別子提示手段４に渡される（Ｓ２０５）。通信先識別子提示手段４は、前記の液晶ディスプレイやＬＥＤの点灯あるいは音声によって、ユーザに対し通信先ごとの通信品質を表示する（Ｓ２０６）。これにより、複数の通信先がある場合において、ユーザは通信品質の最も良い通信先を選んで、情報を取得または送信することができる。【００３９】  図５は、通信開始前における通信品質の効果の提示例を示す。ここでは、液晶ディスプレイ上に表示された複数の通信先アドレスの一つ一つについて、顔マークの形、色や有無に応じて、図５（ａ）のように「通信品質が良い」、図５（ｂ）のように「通信品質が悪い」、図５（ｃ）のように「通信品質情報がない」などの表示を行っている。【００４０】  また、通信品質の前記算出式による算出結果から、例えば「通信品質が良い」は８０％以上１００％、「通信品質が普通」は６０％以上８０％未満、「通信品質が悪い」は０％以上６０％未満、「通信品質情報がない」は不提示、のように通信品質の値を設定する。【００４１】  図６は、情報端末がＩＰ電話機である場合の、通信開始前における通信品質の提示例を示す。ここでは、ＩＰ電話機８の表示画面に、通信品質情報Ａが図５に示すような所定色の顔マークで表示され、これに加えて通信先の名称Ｂおよび電話番号（識別子）Ｃが表示される。【００４２】  この表示は、図示しないキー操作によって、図６（ａ）および図６（ｂ）に示すように切り替え表示することができる。なお、これらの通信品質情報Ａ、通信先の名称Ｂおよび電話番号情報Ｃは互いに関連付けがなされたデータテーブルとして、通信先識別子・通信品質情報保持手段３に格納される。このデータテーブルの一例を、図７に示す。【００４３】  図５および図６に示した例のように通信品質情報を提示することにより、ユーザに効果的に通信回線ごとの通信品質を提示することができる。【００４４】  （第２の実施形態）
図８は、本発明の第２の実施形態による情報端末装置を示すブロック図である。この図８が図１と異なるところは、通信部７と通信先識別子・通信品質情報管理手段５とを別系統で接続して、通信部７によって検出された情報端末１と基地局交換局との間の電界強度を、通信品質決定の一要因に加えた点である。【００４５】  この第２の実施形態では、通信先識別子・通信品質情報管理手段５が前記伝送速度情報、パケットロス率および応答時間の各情報にもとづいて第１の通信品質情報を算出し、さらにこの第１の通信品質情報に電界強度の情報を加えて、第２の通信品質情報を算出する。【００４６】  そして、第２の通信品質情報も通信先識別子との対応で通信先識別子・通信品質情報保持手段３に登録される。なお、第１の通信品質情報は、例えば、第１の通信品質情報＝（伝送速度実測値／伝送速度スペック）×５０（％）＋（１−パケットロス率）×５０（％）で求める。【００４７】  第２の通信品質情報は、第２の通信品質情報＝第１の通信品質情報／α［電界強度αが良い（強い）場合には１．０、中の場合には０．７、悪い（弱い）場合には０．３］で求める。【００４８】  従って、通信開始前にユーザは通信先対応の通信品質情報を通信先識別子・通信品質情報保持手段３から参照でき、通信品質の良好な通信先を容易に選択できることになる。【００４９】  この結果、本実施形態では、図９、１０のシーケンス図に示すように、通信手段２から応答時間、伝送速度およびパケットロス率の各情報を通信先識別子・通信品質情報管理手段５へ通知した後に（Ｓ１０７、１０８、１０９の後に）、通信先識別子・通信品質情報管理手段５から電界強度取得要求を通信部７に対して行い（Ｓ３０１）、この通信部７から電界強度通知を受ける（Ｓ３０２）。【００５０】  そこで、通信先識別子・通信品質情報管理手段５は、通信品質算出手段に前記応答時間、伝送速度およびパケットロス率の情報から第１の通信品質情報を算出させ（Ｓ３０３）、続いて電界強度情報を含む第２の通信品質情報を算出させる（Ｓ３０４）。そして、この第２の通信品質情報を通信先識別子・通信品質情報保持手段３に登録する（Ｓ３０５）。【００５１】  この通信品質情報の提示手順を、図１１のシーケンス図に示す。
まず、ユーザは、コンテンツリストにフォーカスを当て、ＵＲＬリストの中から通信先識別子を選択する（Ｓ２０１）。これにより、通信先識別子提示手段４は通信先識別子・通信品質情報管理手段５に前記選択された通信先識別子を通知し（Ｓ２０２）、この通知を受けて、通信先識別子・通信品質情報管理手段５は通信先識別子・通信品質情報保持手段３から通信先識別子を検索する（Ｓ２０３）。この検索により、通信先識別子・通信品質情報保持手段３からは通信先対応の第２の通信品質情報が取得される（Ｓ４０１）。【００５２】  ここで、通信先識別子・通信品質情報管理手段５は、通信手段２の通信部７に対し電界強度取得要求を出す（Ｓ４０２）。すると、通信部７から電界強度情報通知が返されるため（Ｓ４０３）、通信先識別子・通信品質情報管理手段５は第１の通信品質情報を算出し（Ｓ４０４）、その算出結果を通信先識別子提示手段４に渡す（Ｓ４０５）。このため、通信先識別子提示手段４は、前記の液晶ディスプレイやＬＥＤの点灯あるいは音声によって、ユーザに対し通信先ごとの通信品質を表示する（Ｓ２０６）。これにより、複数の通信先がある場合において、ユーザは通信品質の最も良い通信先を選んで、情報を取得または送信することができる。【００５３】  なお、この第２の実施形態では、第２の通信品質情報と通信先アドレス（サーバ名）の関連付けされた図１２に示すようなデータテーブルが、通信先識別子・通信品質情報保持手段３に格納される。また、第１の通信品質情報とその提示内容は、図１３に示すように、数字や、顔マークの形や色、あるいは提示なし等に応じて表示することができる。図１２、１３に示した例のように通信品質情報を提示することにより、ユーザに効果的に通信回線ごとの通信品質を提示することができる。【００５４】  本発明を詳細にまた特定の実施態様を参照して説明したが、本発明の精神と範囲を逸脱することなく様々な変更や修正を加えることができることは当業者にとって明らかである。【００５５】  本出願は、２００５年３月２５日出願の日本特許出願（特願２００５−０８８５２５）に基づくものであり、その内容はここに参照として取り込まれる。
【産業上の利用可能性】
【００５６】  本発明の情報端末装置は、通信回線の接続が確立する前に通信先ごとの通信品質を検知可能にして、通信回線の接続が確立した後は、ユーザは通信品質の良好な通信を通信先との間で効率的に行うことができるという効果を有し、通信品質の良い通信先を選択して、通信回線を介し情報の通信を行う情報端末装置等に有用である。
本発明は例えばインターネットを行うことができるパソコンや携帯電話などの様々な情報端末装置に好適に利用される。
【図１】
2006103896.tif 000002
【図２】
2006103896.tif 000003
【図３】
2006103896.tif 000004
【図４】
2006103896.tif 000005
【図５】
2006103896.tif 000006
【図６】
2006103896.tif 000007
【図７】
2006103896.tif 000008
【図８】
2006103896.tif 000009
【図９】
2006103896.tif 000010
【図１０】
2006103896.tif 000011
【図１１】
2006103896.tif 000012
【図１２】
2006103896.tif 000013
【図１３】
2006103896.tif 000014
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
通信先識別子が示す通信先に対し、通信回線を介して通信を行う通信手段と、
通信先識別子と、前記通信先識別子が示す通信先の通信品質情報と、を対応付けて保持する通信先識別子・通信品質情報保持手段と、
前記通信先識別子・通信品質情報保持手段から前記通信先識別子に対応する通信品質情報を検索して取得する通信先識別子・通信品質情報管理手段と、
少なくとも前記通信手段による通信を行う前に、前記通信先識別子・通信品質情報管理手段により取得した通信品質情報を、前記通信先識別子に対応させて通知する通信先識別子提示手段と、
を備えることを特徴とする情報端末装置。
【請求項２】
請求項１に記載の情報端末装置であって、
前記通信先識別子・通信品質情報管理手段は、前記通信手段による通信先識別子が示す通信先への通信により得られた通信品質情報を、当該通信先識別子に対応付けて登録する、
ことを特徴とする情報端末装置。
【請求項３】
請求項２に記載の情報端末装置であって，
前記通信手段による通信先識別子が示す通信先への通信により得られた、少なくとも伝送速度情報、ジッタ情報、パケットロス率情報または応答時間に基づいて、通信品質情報を算出する通信品質算出手段を備え、
前記通信先識別子・通信品質情報管理手段は、前記通信品質算出手段により算出した通信品質情報を、前記通信先識別子に対応付けて登録する、
ことを特徴とする情報端末装置。
【請求項４】
請求項１または３に記載の情報端末装置であって、
前記通信先識別子は、少なくとも、ＵＲＬ、ＵＲＩ、ＩＰアドレスまたは電話番号の一部を含む情報端末装置。
【請求項５】
請求項１から４のいずれか１項に記載の情報端末装置であって、
前記通信先識別子提示手段は、少なくとも、液晶ディスプレイ、ＣＲＴディスプレイ、ＥＬディスプレイ、ＬＥＤ、音声出力またはバイブレーションにより、前記通信品質情報を通知することを特徴とする情報端末装置。
【手続補正２】
【補正対象書類名】明細書
【補正対象項目名】全文
【補正方法】変更
【補正の内容】
【発明の詳細な説明】
【技術分野】
【０００１】
本発明は、ユーザが通信回線に接続された通信先から通信品質の良い通信先を選択して、情報の通信を行えるようにする情報端末装置に関する。
【背景技術】
【０００２】
インタネットへのアクセス等を円滑に行うためのインタネット用ブラウザが種々提供されている。このインタネット用ブラウザにおける代表的な機能の１つにブックマーク登録機能がある。
【０００３】
ブックマーク登録は、ユーザに興味のあるホームページや繰り返し参照したホームページ等について、そのＵＲＬ（Ｕｎｉｆｏｒｍ  Ｒｅｓｏｕｒｃｅ  Ｌｏｃａｔｉｏｎ；ホームページのアドレス）を、ブックマークファイル内にブックマークエントリ（アドレスリスト）として登録しておき、該ホームページの参照を簡単に行えるようにするものである。
【０００４】
また、ブックマークファイル内のブックマークエントリとして、アドレスの他に、参照日時および参照回数の情報を記録して、ブックマークファイル内のブックマークエントリの参照時間順または参照頻度順による並び替えを可能とし、エントリー数に関係なく目的とするホームページを簡単に指定し得るものが、提案されている（例えば、特許文献１参照）。
【特許文献１】特開平１０−３３４１２０号公報
【発明の開示】
【発明が解決しようとする課題】
【０００５】
一方、情報端末装置と複数の通信先との間で通信を行う場合に、通信品質の良好な状態で通信を行うことが、当然望まれる。前記通信品質には、通信における応答時間、パケットロス率、ジッタ、伝送速度の通信品質などがあり、これらの通信品質は通信先（サーバ等）の負荷や情報端末から通信先までの通信経路などにより異なる。このため、通信を開始するに当たって、複数の通信先の中から通信品質の良い通信先を選んで通信を行うことが望ましい。
【０００６】
しかしながら、従来の情報端末装置は、通信回線の接続を確立する前に通信品質を検知することができず、一旦通信回線の接続を確立してみないと通信品質を検知できないという不都合があった。
【０００７】
本発明は、上記事情に鑑みてなされたものであり、通信回線の接続が確立する前に通信先ごとの通信品質を検知可能にして、ユーザが選択した通信品質の良好な通信先との間で効率的に情報の通信を行うことができる情報端末装置を提供することを目的とする。
【課題を解決するための手段】
【０００８】
本発明の情報端末装置は、通信先識別子が示す通信先に対し、通信回線を介して通信を行う通信手段と、通信先識別子と、前記通信先識別子が示す通信先の通信品質情報と、を対応付けて保持する通信先識別子・通信品質情報保持手段と、前記通信先識別子・通信品質情報保持手段から前記通信先識別子に対応する通信品質情報を検索して取得する通信先識別子・通信品質情報管理手段と、少なくとも前記通信手段による通信を行う前に、前記通信先識別子・通信品質情報管理手段により取得した通信品質情報を、前記通信先識別子に対応させて通知する通信先識別子提示手段と、を備えるものである。
【０００９】
また、本発明の情報端末装置は、前記通信先識別子・通信品質情報管理手段が、前記通信手段による通信先識別子が示す通信先への通信により得られた通信品質情報を、当該通信先識別子に対応付けて登録する、ものを含むものである。
【００１０】
また、本発明の情報端末装置は、前記通信先識別子が、少なくとも、ＵＲＬ、ＵＲＩ、ＩＰアドレスまたは電話番号の一部を含むものである。
【００１１】
また、本発明の情報端末装置は、前記通信先識別子提示手段が、少なくとも、液晶ディスプレイ、ＣＲＴディスプレイ、ＥＬディスプレイ、ＬＥＤ、音声出力またはバイブレーションにより、前記通信品質情報を通知するものを含む。
【００１２】
予め通信先との間の通信品質情報を算出して通信先識別子・通信品質情報保持手段に格納しておくことで、情報端末装置側からユーザが通信先を指定して情報（リクエストメッセージ）を送信する前に、通信先識別子・通信品質情報保持手段に格納されている当該通信先（識別子）対応の通信品質を参照でき、これにより、ユーザは通信品質の良好な通信先を選択できる。このため、ユーザは通信品質の良い通信先から通信回線を通じて情報を取得または送信することができる。
【００１３】
また、本発明の情報通信端末は、前記通信手段による通信先識別子が示す通信先への通信により得られた、少なくとも伝送速度情報、ジッタ情報、パケットロス率情報または応答時間に基づいて、通信品質情報を算出する通信品質算出手段を備え、前記通信先識別子・通信品質情報管理手段が、前記通信品質算出手段により算出した通信品質情報を、前記通信先識別子と対応付けて登録する、ものを含む。
【００１４】
これにより、通信品質算出手段により算出して得た通信品質情報のうち、通信品質の高い通信回線に接続された通信先をユーザが容易に確認でき、この通信先を選んで情報を取得または送信することができる。
【発明の効果】
【００１５】
本発明は、予め通信先識別子およびこの通信先識別子に対応する通信品質情報を互いに関連付けて通信先識別子・通信品質情報保持手段に登録しておき、通信を行う前に、通信先識別子提示手段から通知された通信先識別子に対応する通信品質情報を前記通信先識別子・通信品質情報保持手段から検索して、前記通信先識別子提示手段に渡すことにより、渡された通信品質情報をユーザに速やかに提示することができ、ユーザはこの提示内容を参照することにより、通信品質の良い通信先を指定して情報を取得または送信することができるものである。
【発明を実施するための最良の形態】
【００１６】
以下、本発明の実施形態の情報端末装置について、図面を参照して詳細に説明する。
【００１７】
（第１の実施形態）
本発明の第１の実施形態による情報端末装置を、図１に示す。
図１において、情報端末装置１は、通信手段２と、通信先識別子・通信品質情報保持手段３と、通信先識別子提示手段４と、通信先識別子・通信品質情報管理手段５と、動画再生手段６とを有する構成である。
【００１８】
通信手段２は、通信先識別子が示す通信先に対し、通信回線を介して通信を行うように機能する。この通信手段２は、メディアデータの伝送を行うＲＴＰプロトコルスタック、クライアント（情報端末装置）とサーバ（通信先）間でセッションの確立や動画の再生・停止を通知するメッセージのやりとりを行うＲＴＳＰプロトコルスタック、パケットロス率やジッタ等の通信状況を伝えるＲＴＣＰプロトコルスタックのもとで、情報のやりとりを行う。
【００１９】
また、ＴＣＰ／ＩＰプロトコルまたはＵＤＰ／ＩＰプロトコルを、インタネットで利用する通信プロトコルとして用いる。さらに、通信手段２は、アンテナを通じて通信先と情報の送受信を行う通信部７を有する。
【００２０】
通信先識別子・通信品質情報保持手段３は、通信回線を介して通信手段２に得られた通信先識別子およびこの通信先識別子に対応する通信品質情報を関連付けて登録するように機能する。
【００２１】
また、通信先識別子提示手段４は、通信回線の接続を行う前にコンテンツリストからユーザが選択した通信先識別子をユーザに通知するように機能するほか、ユーザにより選択された通信先識別子を通信手段２および通信先識別子・通信品質情報管理手段５へ通知するように機能する。さらに、この通信先識別子提示手段４は、通信先情報に対応する通信品質情報を、表示画面上等でユーザにフォントやマークで提示したり、音声などで提示したりするように機能する。なお、通信手段による通信を行うとき、または、通信回線の接続を行うときとは、例えば、ユーザが選択した通信先識別子が示すサーバに対してリクエストメッセージ（例えば、ユーザ側の端末が使用できる機能（再生／停止等）をサーバ側に通知するメッセージ）を送信するときをいう。
【００２２】
通信先識別子・通信品質情報管理手段５は、通信先から通信手段２を介して渡された通信識別子および通信品質情報を通信先識別子・通信品質情報保持手段３に登録するように機能するほか、通信先識別子提示手段４から通知された通信先識別子に対応する通信品質情報を前記通信先識別子・通信品質情報保持手段３から検索して取得し、再び前記通信先識別子提示手段４に通知するように機能する。
【００２３】
なお、通信先識別子・通信品質情報管理手段５は、通信手段２から得た電送速度情報、パケットロス率情報および応答時間情報にもとづいて通信品質情報を算出する通信品質算出手段（図示しない）を有し、通信先識別子とともに、その算出した通信品質情報を通信先識別子・通信品質情報保持手段３に登録可能にする。動画再生手段６は、通信手段２から動画の映像および音声メディアデータを取得し、再生するように機能する。
【００２４】
前記通信先は、例えば、基地局交換機を介して接続されたサーバであり、その通信先の識別子には、ＵＲＬ、ＵＲＩ（Ｕｎｉｆｏｒｍ  Ｒｅｓｏｕｒｃｅ  Ｉｄｅｎｔｆｉｅｒ）、ＩＰ（Ｉｎｔｅｒｎｅｔ  Ｐｒｏｔｏｃｏｌ）アドレス、電話番号などがある。
【００２５】
前記通信品質には、通信状況を伝えるＲＴＣＰパケット内のパケットロス率やジッタ、ＲＴＰパケットの受信開始時刻、受信終了時刻、ＲＴＰデータ長の合計から算出される伝送速度（ＲＴＰデータ長はソケットからのデータ読み時に取得可）、応答時間、誤り率、電界強度がある。
【００２６】
通信先識別子提示手段４による通信品質のレベルの提示方法としては、フォントの大きさや色、ブリンク間隔、マーク、アニメーション、エントリーの順序を変えて液晶ディスプレイで表示する方法や、明るさの強弱、色、グラデーション、点滅間隔を変えて発光ダイオードを点灯する方法などがある。また、音声出力やバイブレーションなどの提示方法もある。
【００２７】
また、本発明による通信識別子対応の通信品質情報の登録および通信品質の良い通信先を選択するための処理は、ストリーミングアプリケーション（プレイリスト）、ブラウザ（リンク、ブックマーク）、ＩＰ電話（電話帳）を利用して実行される。
【００２８】
以上のように構成された情報処理装置１につき、図２、図３および図４を用いてその動作を説明する。図２、３は、通信品質情報を登録する手順を示すシーケンス図であり、図４は、通信品質情報の良好な通信先を提示して選択できるようにする手順を示すシーケンス図である。なお図２および図３は便宜上一つのシーケンス図を分けて示す図であり、図２中のＡ、Ｂ、Ｃ、Ｄ、Ｅ、Ｆ、およびＧはそれぞれ、図３中のＡ、Ｂ、Ｃ、Ｄ、Ｅ、Ｆ、およびＧのそれぞれと接続されている。図９および図１０も同様である。
【００２９】
まず、通信品質情報を登録する手順を、図２、３を参照しながら説明する。
ユーザは通信先識別子提示手段４により表示されるコンテンツ（ＵＲＬなどを含む）を決定する（Ｓ１０１）。すると、通信先識別子提示手段４は通信手段２に対して通信開始要求（通信先識別子を含む）を行う（Ｓ１０２）。通信手段２はサーバである通信先と各種情報のやりとり（リクエスト‐レスポンス）を行い、リクエストメッセージを送信してからレスポンスメッセージがくるまでの時間（応答時間）を、ＲＴＳＰプロトコルスタックのもとで測定（算出）する（Ｓ１０３）。なお、Ｓ１０３において、ＯＰＴＩＯＮＳ メッセージは例えばユーザの端末が使用可能な機能（再生または停止など）をサーバ側に通知するメッセージであり、ＤＥＳＣＲＩＢＥメッセージは例えばコンテンツの情報を送信するようにサーバ側に要求するメッセージである。また、ＳＥＴＵＰメッセージは例えばクライアントが使用できる伝送方法を通知するメッセージであり、ＰＬＡＹメッセージは例えば再生を行う（データを送信する）ようにサーバ側に要求するメッセージである。
【００３０】
また、ＲＴＰプロトコルスタックのもとで、通信先からＲＴＰパケットを受けて（Ｓ１０４）、メディアデータを動画再生手段６へ入力し（Ｓ１０５）、動画再生手段６では動画再生を行う。さらに、ＲＴＣＰプロトコルスタックのもとで、通信先からＲＴＣＰパケットを受け取って、パケットロス率およびジッタの情報を読み込む（Ｓ１０６）。なお、上記Ｓ１０４、Ｓ１０５およびＳ１０６の工程は、パケットごとに繰り返し行われる。
【００３１】
この結果、通信先識別子・通信品質情報管理手段５に対して、ＲＴＳＰプロトコルスタックのもとで、応答時間情報および通信先識別子の通知がなされ（Ｓ１０７）、ＲＴＰプロトコルスタックのもとで伝送速度の算出とこの伝送速度情報の通知がなされ（Ｓ１０８）、ＲＴＣＰプロトコルスタックのもとでパケットロス率情報通知がなされる（Ｓ１０９）。
【００３２】
そこで通信先識別子・通信品質情報管理手段５は、通信品質の算出処理を行い（Ｓ１１０）、通信先識別子に対し算出して得られた通信品質情報を関連付けて、通信先識別子・通信品質情報保持手段３に登録する（Ｓ１１１）。
【００３３】
なお、通信品質は、例えば、通信品質情報＝（伝送速度に関する通信品質×４０（％））＋（パケットロス率に関する通信品質×４０（％））＋（応答時間に関する通信品質×２０（％））の算出式により求めることができる。
【００３４】
ここで、
伝送速度に関する通信品質＝伝送速度実測値／伝送速度スペック
パケットロス率に関する通信品質＝１−パケットロス率
応答時間に関する通信品質＝「（応答時間（ｍｓｅｃ））＜５００の場合」→１
「５００＝＜（応答時間（ｍｓｅｃ））＜２５００の場合」→０
「上述の応答時間（ｍｓｅｃ）以外の場合」→
（応答時間（ｍｓｅｃ）−５００）／２０００
としている。
【００３５】
次に、通信品質情報の提示手順を、図４に示すシーケンス図を参照して説明する。
まず、ユーザは、コンテンツリスト（例えばＵＲＬリスト）にフォーカスを当て（例えばマウスポインタを所定のＵＲＬリストの上に置き）、ＵＲＬリストの中から通信先識別子を選択する（Ｓ２０１）。これにより、通信先識別子提示手段４は通信先識別子・通信品質情報管理手段５に前記選択された通信先識別子を通知し（Ｓ２０２）、この通知を受けて、通信先識別子・通信品質情報管理手段５は通信先識別子・通信品質情報保持手段３から通信先識別子を検索する（Ｓ２０３）。
【００３６】
この検索により、通信先識別子・通信品質情報保持手段３からは通信先対応の通信品質情報が取得され（Ｓ２０４）、この通信品質情報が通信先識別子・通信品質情報管理手段５から通信先識別子提示手段４に渡される（Ｓ２０５）。通信先識別子提示手段４は、前記の液晶ディスプレイやＬＥＤの点灯あるいは音声によって、ユーザに対し通信先ごとの通信品質を表示する（Ｓ２０６）。これにより、複数の通信先がある場合において、ユーザは通信品質の最も良い通信先を選んで、情報を取得または送信することができる。
【００３７】
図５は、通信開始前における通信品質の効果の提示例を示す。ここでは、液晶ディスプレイ上に表示された複数の通信先アドレスの一つ一つについて、顔マークの形、色や有無に応じて、図５（ａ）のように「通信品質が良い」、図５（ｂ）のように「通信品質が悪い」、図５（ｃ）のように「通信品質情報がない」などの表示を行っている。
【００３８】
また、通信品質の前記算出式による算出結果から、例えば「通信品質が良い」は８０％以上１００％、「通信品質が普通」は６０％以上８０％未満、「通信品質が悪い」は０％以上６０％未満、「通信品質情報がない」は不提示、のように通信品質の値を設定する。
【００３９】
図６は、情報端末がＩＰ電話機である場合の、通信開始前における通信品質の提示例を示す。ここでは、ＩＰ電話機８の表示画面に、通信品質情報Ａが図５に示すような所定色の顔マークで表示され、これに加えて通信先の名称Ｂおよび電話番号（識別子）Ｃが表示される。
【００４０】
この表示は、図示しないキー操作によって、図６（ａ）および図６（ｂ）に示すように切り替え表示することができる。なお、これらの通信品質情報Ａ、通信先の名称Ｂおよび電話番号情報Ｃは互いに関連付けがなされたデータテーブルとして、通信先識別子・通信品質情報保持手段３に格納される。このデータテーブルの一例を、図７に示す。
【００４１】
図５および図６に示した例のように通信品質情報を提示することにより、ユーザに効果的に通信回線ごとの通信品質を提示することができる。
【００４２】
（第２の実施形態）
図８は、本発明の第２の実施形態による情報端末装置を示すブロック図である。この図８が図１と異なるところは、通信部７と通信先識別子・通信品質情報管理手段５とを別系統で接続して、通信部７によって検出された情報端末１と基地局交換局との間の電界強度を、通信品質決定の一要因に加えた点である。
【００４３】
この第２の実施形態では、通信先識別子・通信品質情報管理手段５が前記伝送速度情報、パケットロス率および応答時間の各情報にもとづいて第１の通信品質情報を算出し、さらにこの第１の通信品質情報に電界強度の情報を加えて、第２の通信品質情報を算出する。
【００４４】
そして、第２の通信品質情報も通信先識別子との対応で通信先識別子・通信品質情報保持手段３に登録される。なお、第１の通信品質情報は、例えば、第１の通信品質情報＝（伝送速度実測値／伝送速度スペック）×５０（％）＋（１−パケットロス率）×５０（％）で求める。
【００４５】
第２の通信品質情報は、第２の通信品質情報＝第１の通信品質情報／α［電界強度αが良い（強い）場合には１．０、中の場合には０．７、悪い（弱い）場合には０．３］で求める。
【００４６】
従って、通信開始前にユーザは通信先対応の通信品質情報を通信先識別子・通信品質情報保持手段３から参照でき、通信品質の良好な通信先を容易に選択できることになる。
【００４７】
この結果、本実施形態では、図９、１０のシーケンス図に示すように、通信手段２から応答時間、伝送速度およびパケットロス率の各情報を通信先識別子・通信品質情報管理手段５へ通知した後に（Ｓ１０７、１０８、１０９の後に）、通信先識別子・通信品質情報管理手段５から電界強度取得要求を通信部７に対して行い（Ｓ３０１）、この通信部７から電界強度通知を受ける（Ｓ３０２）。
【００４８】
そこで、通信先識別子・通信品質情報管理手段５は、通信品質算出手段に前記応答時間、伝送速度およびパケットロス率の情報から第１の通信品質情報を算出させ（Ｓ３０３）、続いて電界強度情報を含む第２の通信品質情報を算出させる（Ｓ３０４）。そして、この第２の通信品質情報を通信先識別子・通信品質情報保持手段３に登録する（Ｓ３０５）。
【００４９】
この通信品質情報の提示手順を、図１１のシーケンス図に示す。
まず、ユーザは、コンテンツリストにフォーカスを当て、ＵＲＬリストの中から通信先識別子を選択する（Ｓ２０１）。これにより、通信先識別子提示手段４は通信先識別子・通信品質情報管理手段５に前記選択された通信先識別子を通知し（Ｓ２０２）、この通知を受けて、通信先識別子・通信品質情報管理手段５は通信先識別子・通信品質情報保持手段３から通信先識別子を検索する（Ｓ２０３）。この検索により、通信先識別子・通信品質情報保持手段３からは通信先対応の第２の通信品質情報が取得される（Ｓ４０１）。
【００５０】
ここで、通信先識別子・通信品質情報管理手段５は、通信手段２の通信部７に対し電界強度取得要求を出す（Ｓ４０２）。すると、通信部７から電界強度情報通知が返されるため（Ｓ４０３）、通信先識別子・通信品質情報管理手段５は第１の通信品質情報を算出し（Ｓ４０４）、その算出結果を通信先識別子提示手段４に渡す（Ｓ４０５）。このため、通信先識別子提示手段４は、前記の液晶ディスプレイやＬＥＤの点灯あるいは音声によって、ユーザに対し通信先ごとの通信品質を表示する（Ｓ２０６）。これにより、複数の通信先がある場合において、ユーザは通信品質の最も良い通信先を選んで、情報を取得または送信することができる。
【００５１】
なお、この第２の実施形態では、第２の通信品質情報と通信先アドレス（サーバ名）の関連付けされた図１２に示すようなデータテーブルが、通信先識別子・通信品質情報保持手段３に格納される。また、第１の通信品質情報とその提示内容は、図１３に示すように、数字や、顔マークの形や色、あるいは提示なし等に応じて表示することができる。図１２、１３に示した例のように通信品質情報を提示することにより、ユーザに効果的に通信回線ごとの通信品質を提示することができる。
【００５２】
本発明を詳細にまた特定の実施態様を参照して説明したが、本発明の精神と範囲を逸脱することなく様々な変更や修正を加えることができることは当業者にとって明らかである。
【００５３】
本出願は、2005年3月25日出願の日本特許出願（特願2005−088525）に基づくものであり、その内容はここに参照として取り込まれる。
【産業上の利用可能性】
【００５４】
本発明の情報端末装置は、通信回線の接続が確立する前に通信先ごとの通信品質を検知可能にして、通信回線の接続が確立した後は、ユーザは通信品質の良好な通信を通信先との間で効率的に行うことができるという効果を有し、通信品質の良い通信先を選択して、通信回線を介し情報の通信を行う情報端末装置等に有用である。
本発明は例えばインターネットを行うことができるパソコンや携帯電話などの様々な情報端末装置に好適に利用される。
【図面の簡単な説明】
【００５５】
【図１】本発明の第１の実施形態における情報端末装置のブロック図
【図２】本発明の第１の実施形態による通信品質情報の登録手順を示すシーケンス図
【図３】本発明の第１の実施形態による通信品質情報の登録手順を示すシーケンス図（図２の続きのシーケンス）
【図４】本発明の第１の実施形態による通信品質情報の提示手順を示すシーケンス図
【図５】本発明による通信品質情報の提示状況を示す説明図。図５（ａ）は「通信品質が良い」場合の提示状況、図５（ｂ）は「通信品質が悪い」場合の提示状況、図５（ｃ）は「通信品質情報がない」場合の提示状況。
【図６】本発明の情報端末がＩＰ電話機である場合の、通信品質情報等の提示状態を示す説明図。図６（ａ）は「通信品質が良い」場合の提示状態、図６（ｂ）は「通信品質が悪い」場合の提示状態。
【図７】図５に示す提示情報のデータテーブル図
【図８】本発明の第２の実施形態における情報端末装置のブロック図
【図９】本発明の第２の実施形態による通信品質情報の登録手順を示すシーケンス図
【図１０】本発明の第２の実施形態による通信品質情報の登録手順を示すシーケンス図
【図１１】本発明の第２の実施形態による通信品質情報の提示手順を示すシーケンス図（図１０の続きのシーケンス）
【図１２】本発明の第２の実施形態における提示情報のデータテーブル図
【図１３】本発明の第２の実施形態における通信品質情報の提示例を示す説明図
【符号の説明】
【００５６】
１  情報端末装置
２  通信手段
３  通信先識別子・通信品質情報保持手段
４  通信先識別子提示手段
５  通信先識別子・通信品質情報管理手段
７  通信部
【手続補正３】
【補正対象書類名】図面
【補正対象項目名】全図
【補正方法】変更
【補正の内容】
【図１】
2006103896.tif 000015
【図２】
2006103896.tif 000016
【図３】
2006103896.tif 000017
【図４】
2006103896.tif 000018
【図５】
2006103896.tif 000019
【図６】
2006103896.tif 000020
【図７】
2006103896.tif 000021
【図８】
2006103896.tif 000022
【図９】
2006103896.tif 000023
【図１０】
2006103896.tif 000024
【図１１】
2006103896.tif 000025
【図１２】
2006103896.tif 000026
【図１３】
2006103896.tif 000027
【国際調査報告】
2006103896.tif 000028
2006103896.tif 000029
2006103896.tif 000030
2006103896.tif 000031